(57)【要約】【課題】コンピューターシステムの冷却ファン用の装置を提供する。【解決手段】複数の長尺部材と、各々が前記複数の長尺部材における少なくとも１つの長尺部材に枢転可能に結合される複数のボード部材と、複数の長尺部材の各々における選択部に位置し、回動によってファン組立部品用の装置が複数の位置の間で調整されるようになるノブと、冷却ファンにおける開口に収容することができる少なくとも１つのピン部材と、を含むファン組立部品用装置。【選択図】図２
2020140691.tif 000002
【特許請求の範囲】
【請求項１】
複数の長尺部材と、
各々が前記複数の長尺部材の少なくとも１つに枢転可能に結合される複数のボード部材と、
前記複数の長尺部材における第１対の長尺部材の長尺部材の各々における選択部に設置され、複数の回動によってファン組立部品用の装置が複数の位置の間で調整されるようになるノブと、
前記複数の長尺部材のうちの１つに結合される少なくとも１つのピン部材と、
を含むファン組立部品用の装置。
【請求項２】
前記少なくとも１つのピン部材の各々は、前記ファン組立部品における冷却ファンに対応し、前記冷却ファンの開口に収容するように配置されるオスコネクタを含む請求項１に記載のファン組立部品用の装置。
【請求項３】
前記少なくとも１つのピン部材は、前記冷却ファンの位置で前記ファン組立部品用の装置を前記複数の位置のうちの１つにロックする請求項２に記載のファン組立部品用の装置。
【請求項４】
前記第１対の長尺部材は前記ファン組立部品用の装置の頂部に位置し、且つ第２対の長尺部材は前記ファン組立部品用の装置の底部に位置する請求項１に記載のファン組立部品用の装置。
【請求項５】
前記複数の長尺部材の各々は、前記複数のボード部材における複数のボード部材に対応する複数の凹部を含む請求項３に記載のファン組立部品用の装置。
【請求項６】
前記複数の位置は、
前記複数の凹部により前記複数のボード部材が第１の方向で枢転するが、前記第１の方向に対向する第２の方向で枢転しないようにする第１の位置と、
前記複数の凹部により前記複数のボード部材が前記第２の方向で枢転するが、前記第１の方向で枢転しないようにする第２の位置と、
を更に含む請求項５に記載のファン組立部品用の装置。
【請求項７】
前記複数のボード部材の各々は、前記第１の方向に沿った気流を受ける場合に前記第１の方向で枢転し、また、前記第１の方向に沿った気流を受けない場合に前記複数のボード部材における隣り合うボード部材に隣接するように配置される請求項６に記載のファン組立部品用の装置。
【請求項８】
前記複数のボード部材の各々は、更に、前記第２の方向に沿った気流を受ける場合に前記第２の方向で枢転し、また、前記第２の方向に沿った気流を受けない場合に前記複数のボード部材における隣り合うボード部材に隣接するように配置される請求項６に記載のファン組立部品用の装置。
【請求項９】
コンピューターシャーシ内に設置するように配置される複数のファンと、
前記複数のファンに対応するフレームと、
複数の長尺部材と、前記複数のファンに対応し、各々が前記複数の長尺部材における少なくとも１つに枢転可能に結合される複数のボード部材と、前記複数の長尺部材における第１対の長尺部材の長尺部材の各々における選択部に設置され、複数の回動によってファン組立部品用の装置が複数の位置の間で調整されるようになるノブと、前記複数の長尺部材のうちの１つに結合される少なくとも１つのピン部材と、を含み、前記フレームに搭載するように配置されるファン組立部品用の装置と、
を備えるコンピューターシャーシ用のファン組立部品。
【請求項１０】
ファンと、
前記ファンに対応するフレームと、
複数の長尺部材と、前記ファンに対応し、各々が前記複数の長尺部材における少なくとも１つに枢転可能に結合される複数のボード部材と、第１対の長尺部材の各々における選択部に設置され、複数の回動によってファン組立部品用の装置が複数の位置の間で調整されるようになるノブと、前記複数の長尺部材のうちの１つに結合される少なくとも１つのピン部材と、を含み、前記フレームに搭載するように配置されるファン組立部品用の装置と、
を備えるコンピューターシステム用のファン組立部品。
【発明の詳細な説明】
【技術分野】
【０００１】
本開示は、コンピューターファンに用いられる調整可能なファン組立部品用の装置に関する。
【背景技術】
【０００２】
コンピューター部品に熱が発生すると、熱伝導によりコンピューターシステム内の周囲温度が上昇する。上昇した周囲温度により、コンピューター部品が損傷して、コンピューターシステムが故障することがある。システムにおいて、その周囲温度を制御し、気流をガイドするために、冷却ファンがよく使用されている。従来のコンピューターシステムは、冷却ファンの配列を有し、ファンの各々が異なる部品を指している。適切に操作される場合、冷却ファンは、シャーシ（ｃｈａｓｓｉｓ）の本体にバランスのとれた気流を提供することができる。ただし、そのうちの１つの冷却ファンが故障すると、残りの冷却ファンによる吸気は、故障ファンのせいで、空気を後へ吸い込むようになる。これは、逆向きの気流により、コンピューターシャーシを通る気流を妨げる可能性がある。この逆向きの気流により、残りの冷却ファンがシャーシを適切に冷却しないようになる。その結果、シャーシ本体に熱が増え、最終的にコンピューター部品に損傷を与える。
【発明の概要】
【発明が解決しようとする課題】
【０００３】
従って、ファンのうちの１つが故障した時でも、適切な気流がコンピューターシステムを通ることを確保するようなシステムが必要とされている。
【課題を解決するための手段】
【０００４】
本開示の複数の例は、コンピューターシステムに用いられるファン組立部品用の装置に関する。第１の実施例において、ファン組立部品用の装置は、第１対の長尺部材の各々に選択部を有する複数の長尺部材と、各々が前記複数の長尺部材のうちの１つに枢転可能に結合される複数のボード部材と、前記選択部に設置され、回動によってファン組立部品用の装置が複数の位置の間で調整されるようになるノブと、前記複数の長尺部材のうちの１つに結合され、ファン組立部品用の装置を冷却システムにおける冷却ファンに固定する少なくとも１つのピン部材と、を含む装置である。
【０００５】
一例において、ファン組立部品用の装置は、コンピューターシステムにおける複数の冷却ファンの複数に対応するピン部材を有する。ピン部材の各々は、冷却ファンの凹部に収容するように配置されるオスコネクタを含む。例として、凹部は、選択部又は開口であってよい。
【０００６】
一例において、ピン部材の冷却ファンにおける位置は、ファン組立部品用の装置を前記複数の位置のうちの１つにロックする。例として、ファン組立部品用の装置は、（１）第１の位置にロックされることで気流を排出せず気流を導入し、又は（２）第２の位置にロックされることで気流を導入せず気流を排出する。
【０００７】
一例において、第１対の長尺部材は、ファン組立部品用の装置の頂部に位置し、且つ第２対の長尺部材はファン組立部品用の装置の底部に位置する。長尺部材の各々は、複数の凹部を有してよい。凹部の各々は、前記複数のボード部材におけるボード部材に対応する。
【０００８】
一例において、ファン組立部品用の装置が第１の位置にロックされる場合、前記複数の凹部は、前記複数のボード部材を第２の方向で枢転（排気を防止）せず、第１の方向で枢転（吸気を許可）するように配置する。第１の位置にある場合、ボード部材は、第１の方向に沿った気流を受けることで第１の方向で枢転する。第１の方向からの気流を受けない場合又は第２の方向からの気流受ける場合、ボード部材は、前記複数のボード部材の隣り合うボード部材に隣接する。従って、第２の方向からの気流が装置に入ることを防止することができる。第１の方向は、第２の方向と反対する。
【０００９】
装置が第２の位置にロックされる場合、前記複数の凹部は、前記複数のボード部材を第１の方向で枢転（吸気を防止）せず、第２の方向で枢転（排気を許可）するように配置する。第２の方向に沿った気流を受けることで、ボード部材は第２の方向で枢転する。第２の方向からの気流を受けない場合又は第１の方向からの気流を受ける場合、ボード部材は前記複数のボード部材の隣り合うボード部材に隣接する。従って、第１の方向からの気流が装置に入ることを防止することができる。
【００１０】
本開示の第２の実施例は、コンピューターシャーシ用のファン組立部品を提供する。ファン組立部品は、コンピューターシャーシ内に設置されように配置される複数のファンと、前記複数のファンに対応し、ファン組立部品用の装置を搭載することができるフレームと、フレームに収容するように配置されるファン組立部品用の装置と、を含む。ファン組立部品用の装置は、第１の実施例に提供されるようなものであってよい。第２の実施例の他の例については、第１の実施例に提供されるようなものであってよい。
【００１１】
本開示の第３の実施例は、コンピューターシステム用のファン組立部品を提供する。ファン組立部品は、ファン、ファンに対応するフレーム、及びファン組立部品用の装置を含む。ファン組立部品用の装置は、フレームに搭載することができる。ファン組立部品用の装置と第３の実施例の他の例については、第１の実施例において提供されるようなものであってよい。
【００１２】
上記の簡略化した内容は、本開示の各々の実施例又は各々の一方面を代表する目的のものではない。それに対して、前記の簡略化した内容は、本明細書で提出される新規な態様と特徴の例のみを提供する。下記で、添付図面及び添付の特許請求の範囲を参照することで、本開示を達成させる代表的な実施例とモードの細部についての説明によって、本開示の上記特徴、メリット及び他の特徴及びメリットを容易に理解することができる。
添付の図面は、本発明の実施例を例示し、且つ説明に合わせて本発明の原則を解釈し例示する。図面は、例示的な実施形態の主な特徴を図示で例示する。図面は、実際の実施形態の特徴の各々を表すことを意図しておらず、描かれた素子の関連する寸法を描くことを意図しておらず、また、図面は一定の縮尺で描かれていない。
【図面の簡単な説明】
【００１３】
【図１Ａ】本開示の実施例による吸気気流の制御用の例示的ファン組立部品を示す。
【図１Ｂ】本開示の実施例による排気気流の制御用の例示的ファン組立部品を示す。
【図２】本開示の実施例による例示的ファン組立部品用の装置の一部位を示す近距離図である。
【図３Ａ−３Ｂ】本開示の実施例による吸気に用いられるように配置される例示的ファン組立部品用の装置を示す。
【図３Ｃ−３Ｄ】本開示の実施例による排気に用いられるように配置される例示的ファン組立部品用の装置を示す。
【発明を実施するための形態】
【００１４】
添付図面に合わせて本発明を説明する。全ての図面において、同じ参照番号によって類似又は同等の素子を表示する。図面は比例して描かれたものではなく、且つこれらの図面は本発明のみを例示する。理解すべきなのは、完璧に理解させるために、複数の特定な細部、関係、及び方法が提出される。しかしながら、当業者であれば、１つ又は複数の特定の細部もなく又は他の一方法を使用しなくとも、複数の種類の実施例を実施できることは容易に判明される。他の例において、複数の実施例のある態様を不明にしない程度に、周知の構造や動作の細部が示されていない。複数種類の実施例は、例示される動作や事件の順序に制限されない。ある動作も異なる順序で発生し、及び／又は他の動作や事象と同時に発生してもよい。また、本発明による方法は、全ての例示される動作や事象がなければ実施できないわけでもない。
【００１５】
本開示は、コンピューターシステムに用いられるファン組立部品用の装置を提供する。このファン組立部品用の装置は、複数の長尺部材と、複数のボード部材と、ノブと、少なくとも１つのピン部材と、を含む。前記少なくとも１つのピン部材は、ファン組立部品用の装置が冷却ファンに隣接するように、冷却ファンにおける開口に設置されてよい。ある例において、複数のピン部材は、コンピューターシステムにおける複数の冷却ファンに対応する。前記複数のボード部材の各々は、前記複数の長尺部材の少なくとも１つに枢転可能に結合される。ボード部材は、冷却ファンに対応し、冷却ファンに向かうように気流をガイドする。ノブは、１対の長尺部材の長尺部材の各々の開口に位置する。ノブの回動によって、ファン組立部品用の装置を複数の位置の間で調整する。ノブは、ファン組立部品用の装置を調整することで、ボード部材によって空気が反対方向に冷却ファンを流れないようにする。
【００１６】
従って、開示されるファン組立部品用の装置は、故障した冷却ファンを空気が反対方向に流れることを自動的に制限する。このように、コンピューターシステムにおけるコンピューティング部品を効果的に且つ有効に冷却することで、コンピューティング部品の過熱及び故障を防止することができる。
【００１７】
図１Ａは、本開示の実施例によるファン組立部品１００Ａを示す。ファン組立部品１００Ａは、フレーム１０２、セパレータ部材１０４ａ、１０４ｂと１０４ｃ、ボード部材１０６ａ、１０６ｂ、１０６ｃ〜１０６ｎ、ピン部材１０８、オスコネクタ１１０、冷却ファン１１２（１１２ａ、１１２ｂ、１１２ｃと１１２ｄ）、冷却ファン開口１１３（１１３ａ、１１３ｂ、１１３ｃと１１３ｄ）、長尺部材１１４ａと１１４ｂ、及びノブ１１６を含む。図１Ｂは、図１Ａのファン組立部品１００Ａと類似している部品及び符号を含むファン組立部品１００Ｂを示す。図１Ｂのファン組立部品１００Ｂは、冷却ファン１１２ｅ、１１２ｆ、１１２ｇと１１２ｈ、及び開口１１３ｅ、１１３ｆ、１１３ｇと１１３ｈを更に含む。図１Ａと図１Ｂは、コンピューターファンに用いられるファン組立部品用の装置の類似している特徴を示し、且つ下記でこれらの特徴を引き続き説明する。ある例において、ファン組立部品１００Ａと１００Ｂは、コンピューターシャーシ又はコンピューターシステム用のファン組立部品であってよいが、これは当業者にとって想到しやすいものである。
【００１８】
ファン組立部品用の装置１３０は、複数の冷却ファン１１２（例えば、図１Ａの冷却ファン１１２ａ、１１２ｂ、１１２ｃと１１２ｄ又は図１Ｂの冷却ファン１１２ｅ、１１２ｆ、１１２ｇと１１２ｈ）に接続するように配置される。ファン組立部品用の装置１３０は、４つの冷却ファン１１２に対応するが、任意の数の冷却ファン１１２に対応するように、そのサイズがより短く又はより長くてもよい。ある例において、ファン組立部品用の装置１３０は、単一の冷却ファンに対応してよい。ファン組立部品用の装置１３０と如何なる対応する冷却ファン１１２ａ、１１２ｂ、１１２ｃと１１２ｄも、コンピューターシャーシ（未図示）に設置するように構成されてもよい。
【００１９】
ファン組立部品用の装置１３０は、複数のボード部材１０６ａ、１０６ｂ、１０６ｃ〜１０６ｎ及びセパレータ部材１０４ａ、１０４ｂと１０４ｃを含んでもよい。セパレータ部材１０４ａ、１０４ｂと１０４ｃの各々は、２つの冷却ファン１１２の間のセパレータ１０４（例えば、セパレータ部材１０４ｂが冷却ファン１１２ａと１１２ｂの間のセパレータに対応する）に対応してよい。セパレータ部材１０４ａ、１０４ｂと１０４ｃは、セパレータ部材ケース１０５によって互いに接続されてよい。セパレータ部材１０４ａ、１０４ｂと１０４ｃも、複数のボード部材１０６ａ、１０６ｂ、１０６ｃ〜１０６ｎにおける複数のボード部材グループの間にバリアを形成する。
【００２０】
複数のボード部材１０６ａ、１０６ｂ、１０６ｃ〜１０６ｎにおける一群のボード部材は、冷却ファン１１２ａ、１１２ｂ、１１２ｃ又は１１２ｄに対応してよい。例として、ボード部材１０６ａ、１０６ｂ、と１０６ｃは冷却ファン１１２ａに対応する。図１Ａにおいて、３つのボード部材１０６ａ、１０６ｂ、１０６ｃが各々冷却ファン１１２ａ、１１２ｂ、１１２ｃと１１２ｄに対応するように示されるが、少なくとも１つのボード部材がファンの各々に用いられるだけで、任意の数のボード部材が冷却ファン１１２の各々に対応してもよい。
【００２１】
ボード部材１０６ａ、１０６ｂ、１０６ｃ〜１０６ｎは、長尺部材１１４ａと１１４ｂによって装置１３０に結合されてもよい。長尺部材１１４ａと１１４ｂは、ファン組立部品用の装置１３０の頂部１３４に位置する。長尺部材１１４ａと１１４ｂは、ファン組立部品用の装置１３０の底部１３３に沿った対応する長尺部材（未図示）を有してよい。ある例において、底部１３３は、如何なる長尺部材を有しないセパレータ部材ケース１０５であってよい。長尺部材１１４ａと１１４ｂの各々は、ノブ１１６を設置するための選択部（更に図２に示される）を有してよい。ノブ１１６は、長尺部材１１４ａに対応する端部１１６ａ、及び長尺部材１１４ｂに対応する端部１１６ｂを有してよい。ノブ１１６は、時計回り又は反時計回りに回動することができる。図１Ａには時計回り回転を示し、図１Ｂには反時計回り回転を示す。以下、図２及び図３Ａ〜図３Ｄを参照して、長尺部材１１４ａと１１４ｂの別の移動を更に検討する。
【００２２】
ファン組立部品用の装置１３０は、冷却ファン１１２の各々（例えば、ファン組立部品１００Ａにおける冷却ファン１１２ａ、１１２ｂ、１１２ｃと１１２ｄ又はファン組立部品１００Ｂにおける冷却ファン１１２ｅ、１１２ｆ、１１２ｇと１１２ｈ）に用いられるピン部材１０８を含んでよい。ピン部材１０８の各々は、ファン組立部品用の装置１３０に沿った頂部の長尺部材１１４ｂに結合される。ある例において、ピン部材１０８は、セパレータ部材ケース１０５又はフレーム１０２に接続されてよい。例えば、図１Ａを参照すると、ピン部材１０８の各々は、そのエッジにオスコネクタ１１０を含んでよい。オスコネクタ１１０は、冷却ファン１１２ａ、１１２ｂ、１１２ｃ又は１１２ｄに設置されてもよい。オスコネクタ１１０は、冷却ファン１１２ａに対応する開口１１３ａに滑り込んでよい。開口１１３ａ、１１３ｂ、１１３ｃと１１３ｄは、冷却ファン１１２ａ、１１２ｂ、１１２ｃと１１２ｄにおける位置が冷却ファンのタイプに対応してよい。例として、図１Ａに示すように、冷却ファン１１２ａ、１１２ｂ、１１２ｃと１１２ｄの各々は、その右側に開口１１３ａ、１１３ｂ、１１３ｃと１１３ｄを有する。図１Ｂにおいて、冷却ファン１１２ｅ、１１２ｆ、１１２ｇと１１２ｈの各々は、その左側に開口１１３ｅ、１１３ｆ、１１３ｇと１１３ｈを有する。図１Ａの冷却ファン１１２ａ、１１２ｂ、１１２ｃと１１２ｄは、吸気ファンに対応し、空気がファン組立部品用の装置１３０の外側１３１から内側１３２へ流れる。図１Ｂの冷却ファン１１２ｅ、１１２ｆ、１１２ｇと１１２ｈは、排気ファンに対応し、空気がファン組立部品用の装置１３０の内側１３２から外側１３１へ流れる。
【００２３】
図２は、ファン組立部品用の装置１３０の一部を示す例示図２００である。図２は、図１Ａ及び図１Ｂと類似している素子及び符号を有し、且つ長尺部材１１４ａにおける選択部２２３及び長尺部材１１４ｂにおける選択部２２０を更に含む。図２は、ノブ１１６の回動により長尺部材１１４ａと１１４ｂが右及び左へ摺動することを示し、これはノブ１１６の回動に対応する。例として、ノブ１１６が反時計回りに回転すると仮定すれば、ノブ１１６の端部１１６ｂが選択部２２０のエッジ２２１を押し付けると共に、端部１１６ａが選択部２２３のエッジ２２４を押し付ける。これにより、長尺部材１１４ｂが左へ移動しまた長尺部材１１４ａが右へ移動するようになる。ボード部材１０６が長尺部材１１４ａと１１４ｂを結合するため、長尺部材１１４ａと１１４ｂの移動によりボード部材１０６の指向（以下、図３Ａ〜図３Ｄを参照して更に検討する）が変わる。
【００２４】
ノブの反時計回り回転と類似するように、ノブ１１６の時計回り回転により端部１１６ｂが選択部２２０のエッジ２２１を押し付けると共に、端部１１６ａが選択部２２３のエッジ２２５を押し付ける。これにより、長尺部材１１４ｂが右へ移動し且つ長尺部材１１４ａが左へ移動するようになる。この移動は、更に、ボード部材１０６の指向を変える。
【００２５】
従って、ノブ１１６は、開示されるファン組立部品用の装置を複数の位置の間で調整するように配置されてよい。特に、ノブ１１６は、ファン組立部品用の装置が第１の位置にあるように配置されてよく、長尺部材１１４ｂが完全に右へ摺動し且つ長尺部材１１４ａが完全に左へ摺動する。この位置により、ピン部材１０８は、吸気ファン１１２ａ、１１２ｂ、１１２ｃと１１２ｄの開口１１３ａ、１１３ｂ、１１３ｃと１１３ｄ（図１Ａに示す）に接続される。
【００２６】
ノブ１１６は、ファン組立部品用の装置を第２の位置に位置させるように配置されてよく、長尺部材１１４ｂが完全に左へ摺動し且つ長尺部材１１４ａが完全に右へ摺動する。この位置により、ピン部材１０８は、吸気ファン１１２ｅ、１１２ｆ、１１２ｇと１１２ｈの開口１１３ｅ、１１３ｆ、１１３ｇと１１３ｈ（図１Ｂに示す）に接続されるようになる。
【００２７】
引き続き図１Ａ、図２Ｂ及び図２を参照されたい。ピン部材１０８は、ファン組立部品用の装置１３０がファンのタイプに従い適切な位置にあるように確保する。ファン１１２の各々における開口１１３は、吸気ファン１１２ａ、１１２ｂ、１１２ｃと１１２ｄ（開口１１３ａ、１１３ｂ、１１３ｃと１１３ｄの右）及び排気ファン１１２ｅ、１１２ｆ、１１２ｇと１１２ｈ（開口１１３ｅ、１１３ｆ、１１３ｇと１１３ｈの左）にとって異なる場所にあるので、冷却ファン１１２に収容される場合、ファン組立部品用の装置１３０を適切に位置決めする必要がある。例として、ユーザーが第１の位置にあるファン組立部品用の装置１３０を排気ファン１１２ｅ、１１２ｆ、１１２ｇと１１２ｈ内に取り付けようとしても、開口１１３がピン部材１０８を収容してファン組立部品用の装置１３０を第２の位置に自動的に転換させる。類似的に、ユーザーが第２の位置にあるファン組立部品用の装置１３０を吸気ファン１１２ａ、１１２ｂ、１１２ｃと１１２ｄ内に取り付けようとしても、開口１１３がピン部材１０８を収容してファン組立部品用の装置１３０を第１の位置に自動的に転換させる。
【００２８】
従って、ピン部材１０８は、ポカヨケ機構として、ファン組立部品用の装置１３０を適切に位置決めするように確保する。ファン組立部品用の装置１３０が冷却ファンに接続される場合、ピン部材１０８は、ファン組立部品用の装置１３０を適切な位置にロックすることができる。また、ノブ１１６は、長尺部材１１４ａと１１４ｂ（及びこれに従い下記で検討されるボード部材１０６）を図１Ａに示す第１の位置と図１Ｂに示す第２の位置との間の如何なる遷移位置に位置決めしてもよい。
【００２９】
図３Ａ〜図３Ｄを参照されたい。そのため、長尺部材１１４ａと１１４ｂ及びボード部材１０６の位置決めは、ファン組立部品用の装置１３０の作動にとって必要となる。図３Ａ〜図３Ｄは、ボード部材１０６がノブ１１６の第１の位置と第２の位置の有する機能性に対応することを示す。図３Ａ〜図３Ｄに含まれる部品及び符号は、図１Ａのファン組立部品１００Ａ、図１Ｂのファン組立部品１００Ｂと図２のファン組立部品用の装置１３０と類似している。また、図３Ａ〜図３Ｄは、複数の凹部３４０と複数の凹部３５０を含む。
【００３０】
図３Ａと図３Ｂは、本開示の実施例による吸気に用いられるように配置される例示的ファン組立部品用の装置３００Ａと３００Ｂを示す。ある例において、長尺部材１１４ａと１１４ｂが第１の位置にロックされる（図１Ａに示す）場合、複数の凹部３４０と３５０は、長尺部材１１４ａに向かう第２の方向で枢転（排気を防止）させなく、前記複数のボード部材１０６を長尺部材１１４ｂに向かう第１の方向で枢転（吸気を許可）させるように配置される。例として、ボード部材１０６は、位置３６０で枢転可能に凹部３４０と３５０、又はセパレータ部材ケース１０５（未図示）に結合される。図３Ａは、ファン組立部品用の装置３００Ａの配置を示し、ボード部材１０６の凹部３４０への回転が阻止される。図３Ｂは、ボード部材１０６が凹部３５０へ回転することができることを示す。
【００３１】
従って、図３Ａと図３Ｂは、ノブ１１６が第１の位置に時計回りに回転する場合（又はピン部材１０８が吸気ファンに接続される場合）、凹部３５０への気流を受けると、ボード部材１０６は凹部３５０へ枢転することを示す。図３Ａは、凹部３５０への気流を受けない場合、又は凹部３４０への気流を受ける場合、ボード部材１０６が隣り合うボード部材１０６に隣接することを示す。
【００３２】
図３Ｃと図３Ｄは、本開示の実施例による排気に用いられるように配置される例示的ファン組立部品用の装置３００Ｃと３００Ｄを示す。ある例において、長尺部材１１４ａと１１４ｂが第２の位置にロックされる場合（図１Ｂに示す）、前記複数の凹部３４０と３５０は、長尺部材１１４ｂに向かう第１の方向で枢転（吸気を防止）させず、前記複数のボード部材１０６を長尺部材１１４ａに向かう第２の方向で枢転（排気を許可）させるように配置される。図３Ｃは、ボード部材１０６の凹部３５０への回転が阻止されることを示す。図３Ｄは、ボード部材１０６が凹部３４０へ回転することができることを示す。
【００３３】
従って、図３Ｃと図３Ｄは、ノブ１１６が第２の位置に反時計回りに回転する場合（又はピン部材１０８が排気ファンに接続される場合）、凹部３４０への気流を受けると、ボード部材１０６は凹部３４０へ回転する。図３Ｃは、凹部３４０への気流を受けない場合、又は凹部３５０への気流を受ける場合、ボード部材１０６が隣り合うボード部材１０６に隣接することを示す。
【００３４】
従って、図３Ａ〜図３Ｄは、ボード部材１０６がノブ１１６の位置に従い一時に一方向に沿って（長尺部材１１４ａへ又は長尺部材１１４ｂへ）移動するように配置される。ボード部材１０６は、金属シート、紙、又はプラスチックなどの軽量素材で作られてよい。また図１Ａと図１Ｂを参照されたい。ファン（例えば冷却ファン１１２ａ、１１２ｂ、１１２ｃ、１１２ｄ、１１２ｅ、１１２ｆ、１１２ｇと１１２ｈ）が故障する場合、ボード部材１０６はこれで空気がファン組立部品１００Ａ又は１００Ｂに吸入されることを防止することができる。ボード部材１０６は自動的にオフになり、これにより残りの作動ファンは故障ファンのため逆方向の気流を吸入しない。従って、開示されるファン組立部品用の装置は、冷却ファンの連続的な気流と冷却を確保する。
【００３５】
本発明の複数の実施例を上記のように説明したが、それらは単に説明するためのものであり、制限するためのものではないことは、理解すべきである。精神や範囲から逸脱せずに、ここでの開示に基づいて、開示される実施例に数多くの変化を加えてよい。そのため、本発明の広さや範囲は、如何なる上記実施例によりも限定されない。それに対して、本発明の範囲は、下記の特許請求の範囲及びその同等物によって定義されるべきである。
【００３６】
本発明を１つ又は複数の実施態様によって説明し記述されたが、当業者であれば、この明細書及び添付図面を読んで理解した後で同等な改変や変更を加えることができる。また、本発明の特定な特徴は、既に複数の実施態様における１つによって開示されるが、如何なる所定又は特定な適用の要求及びメリットを達成させるために、この特徴は他の実施態様の１つ又は複数の他の特徴に合わせてよい。
【００３７】
ここで使用される専門用語は、特定な実施例を説明するためのものであり、制限するものではない。例えば、ここで使用される「一（ａ）」、「一（ａｎ）」、又は「前記（ｔｈｅ）」のような単数の用語も、上下文で別に明確に表示されない限り、複数の意図を含もうとする。また、実施形態及び／又は特許請求の範囲で言及びされた「含有（ｉｎｃｌｕｄｉｎｇ）」、「備える（ｉｎｃｌｕｄｅｓ）」、「有する（ｈａｖｉｎｇ）」、「ある（ｈａｓ）」、「と（ｗｉｔｈ）」、又はその変わった範囲のような用語について、このような用語は、ある程度で、「含む（ｃｏｍｐｒｉｓｉｎｇ）」の用語と類似な意味に含まれる。
【００３８】
特に定義されない限り、ここで全ての用語（技術及び科学用語を含む）は、当業者によりよく理解される同じ意味を有する。また、ある用語は、例えば、常用辞典で定義されるように、関連分野の上下文でのそれらの意味を有する意図として解釈されるべきであるが、ここでこのように明確に定義されない限り、理想化又はあまり正式的な意味として解釈されるべきではない。
【符号の説明】
【００３９】
１００Ａ、１００Ｂ：ファン組立部品
１０２：フレーム
１０４ａ、１０４ｂ、１０４ｃ：セパレータ部材
１０５：セパレータ部材ケース
１０６、１０６ａ、１０６ｂ、１０６ｃ、１０６ｎ：ボード部材
１０８：ピン部材
１１０：オスコネクタ
１１２、１１２ａ、１１２ｂ、１１２ｃ、１１２ｄ、１１２ｅ、１１２ｆ、１１２ｇ、１１２ｈ：ファン
１１３、１１３ａ、１１３ｂ、１１３ｃ、１１３ｄ、１１３ｅ、１１３ｆ、１１３ｇ、１１３ｈ：開口
１１４ａ、１１４ｂ：長尺部材
１１６：ノブ
１１６ａ、１１６ｂ：端部
１３０、３００Ａ、３００Ｂ、３００Ｃ、３００Ｄ：ファン組立部品用の装置
１３１：外側
１３２：内側
１３３：底部
１３４：頂部
２００：例示図
２２０、２２３：選択部
２２１、２２４、２２５：エッジ
３４０、３５０：凹部
３６０：位置
【図１Ａ】
2020140691.tif 000003
【図１Ｂ】
2020140691.tif 000004
【図２】
2020140691.tif 000005
【図３Ａ−３Ｂ】
2020140691.tif 000006
【図３Ｃ−３Ｄ】
2020140691.tif 000007